(57)【要約】【課題】簡易かつ安全に型枠底部を固定し、さらに型枠とＨ鋼との距離を簡易かつ確実に保つＨ鋼連結具、そのＨ鋼留め金具、及びそれらを用いたい型枠を提供する。【解決手段】本考案は、ビームを連結しパネルを前記ビームに係止した大型の型枠の前記ビームの底部と基礎を固定する側面略三角形状の金具であって、前記基礎上に載置される底板と、前記底板の一端部に垂設され前記ビームに当接する左垂設Ｌ字鋼及び前記底板の他端部と前記左垂設Ｌ字鋼の先端部とを連結する左斜辺Ｌ字鋼よりなる左枠と、前記底板の一端部に垂設され前記ビームに当接する右垂設Ｌ字鋼及び前記底板の他端部と前記右垂設Ｌ字鋼の先端部とを連結する右斜辺Ｌ字鋼よりなる右枠と、前記左右垂設Ｌ字鋼より突出し前記ビームの隙間に陥入する突出部を有し前記左枠及び右枠の間に固定される水平部材と、からなることを特徴とするワイパネ足元固定金具の構成とした。【選択図】図１３
0003153803.tif 000002
【実用新案登録請求の範囲】
【請求項１】
ビームを連結しパネルを前記ビームに係止した大型の型枠の前記ビームの底部と基礎を固定する側面略三角形状の金具であって、
前記基礎上に載置される底板と、前記底板の一端部に垂設され前記ビームに当接する左垂設Ｌ字鋼及び前記底板の他端部と前記左垂設Ｌ字鋼の先端部とを連結する左斜辺Ｌ字鋼よりなる左枠と、前記底板の一端部に垂設され前記ビームに当接する右垂設Ｌ字鋼及び前記底板の他端部と前記右垂設Ｌ字鋼の先端部とを連結する右斜辺Ｌ字鋼よりなる右枠と、前記左右垂設Ｌ字鋼より突出し前記ビームの隙間に陥入する突出部を有し前記左枠及び右枠の間に固定される水平部材と、からなることを特徴とするワイパネ足元固定金具。
【請求項２】
前記左枠に前記左垂設Ｌ字鋼と前記左斜辺Ｌ字鋼を結ぶ左筋交いを設け、前記右枠に前記右垂設Ｌ字鋼と前記右斜辺Ｌ字鋼を結ぶ右筋交いを設けたことを特徴とする請求項１に記載のワイパネ足元固定金具。
【請求項３】
前記左右垂設Ｌ字鋼と前記左右斜辺Ｌ字鋼の先端部上を連結板で覆ったことを特徴とする請求項１又は請求項２に記載のワイパネ足元固定金具。
【請求項４】
前記底板の左右斜辺Ｌ字鋼側部が上方に屈曲した屈折部で前記左右Ｌ字鋼底部を覆うことを特徴とする請求項１〜請求項３の何れか１項に記載のワイパネ足元固定金具。
【請求項５】
ネジ鉄筋に連結する第１ナット部と、前記第１ナット部を上面に固定した固定部の一端に第１挟持片、他端に第２挟持片を有する挟持部と、前記第１挟持片又は第２挟持片の端部に固定された第２ナット部と、第２ナット部に螺合するボルトとからなり、前記第１、２挟持片の間の溝にＨ鋼を挿入し、前記ボルトで締め付けることを特徴とするＨ鋼留め金具。
【請求項６】
前記第２ナット部を固定した前記第１挟持片又は第２挟持片の何れかの外側を切欠き前記第２ナット部とでスペースを形成したことを特徴とする請求項５に記載のＨ鋼留め金具。
【請求項７】
請求項５又は請求項６に記載のＨ鋼留め金具と、前記第１ナット部に螺合しビームに挿通するネジ鉄筋と、前記ネジ鉄筋に螺合しビームに係止する留具とからなることを特徴とするＨ鋼連結具。
【請求項８】
ビームを通し材で複数連結し、パネルを前記ビームに係止した大型の型枠と、前記ビームの足元を固定する請求項１〜４の何れか１項に記載のワイパネ足元固定金具と、Ｈ鋼と前記ビームとを連結する請求項７に記載のＨ鋼連結具からなることを特徴とする建設用型枠。
【考案の詳細な説明】
【技術分野】
【０００１】
本考案は、コンクリート壁などの施工、補修にＨ鋼と共に用いられる大型の型枠、特にスライド式大型型枠の底部を固定するワイパネ足元固定金具、大型の型枠を定位置に容易に固定することができるＨ鋼連結具、そのＨ鋼留め金具、及びそれらを用いた建設用型枠に関する。
【背景技術】
【０００２】
図１４に示すように建設用大型型枠１８は、トンネル覆工，煙突，橋脚，ダムなどの大型のコンクリート構造物を構築する際に用いられる。スライド式型枠がよく知られている。
【０００３】
この種のスライド式の建設用大型型枠１８は、大まかに、側面に孔１５ａが穿設され両面に隙間１５ｂが貫通するビーム１５と、ビーム１５の孔１５ａに通し留具などとともにビーム１５同士を連結、固定する連結パイプ１５ｉと、連結されたビームの片面に係止された金属製のパネル１５ｋとかなる。必要に応じて、人が作業する足場であるプラットホーム１２ａが布板、パイプ等で組まれる。
【０００４】
建設用大型型枠１８は、構造物の壁の打設、補強、崖の補強などに使用され、片壁であれば、それらの間に、コンクリートを打設し、壁を形成し、養生の後、順次上方にスライド（昇降）させ、垂直方向に壁を順次形成していく。
【０００５】
型枠の昇降、脱型枠およびその後の移動は型枠を分解せずにクレーンなどの重機を使用して、分解されることなく行われ、大型のコンクリート構造物の施工に大きく貢献している。
【０００６】
通常、ビーム１５は、ワイドパネルビーム；「通称「ワイパネ」）と呼ばれる鋼材で、種々の長さのものが流通している。
【０００７】
図１５の非特許文献１に、スライド式の建設用大型型枠１８が、より詳しく説明されている。図１５（Ａ）が右側面、反パネル１５ｋ側、図１５（Ｂ）が反パネル１５ｋ側の拡大斜視図である。両壁タイプで、セパレーター、Ｐコーン、ホームタイ（ネジ鉄筋）、タイボルトなどで、ビーム１５間隔を一定に保ち、固定する。片壁の場合には、ネジ鉄筋をＨ鋼などに溶接で固定する。
【先行技術文献】
【特許文献】
【０００８】
【非特許文献１】http://www.okaya-kenzai.co.jp/htsub/shohin%20WPB.html                  岡谷建材株式会社ＨＰ
【考案の概要】
【考案が解決しようとする課題】
【０００９】
従来から、ビーム底部の固定を簡易かつ安全に行う装置（底部固定金具）がなかった。また、Ｈ鋼と型枠との距離を一定に保つため、鉄筋をＨ鋼と溶接し固定する必要があり煩雑であった。
【００１０】
また、崖など出水の危険がある箇所では、施工後もセパレーター伝いに漏水の心配があり、止水処理に費用と時間がかかった。また、セパレーター、底部固定金具転用回数に制限があり、廃棄費用が嵩んでいた。
【００１１】
そこで、本考案は、簡易かつ安全に型枠底部を固定するワイパネ足元固定金具、さらに型枠とＨ鋼との距離を簡易かつ確実に一定に保つＨ鋼連結具、そのＨ鋼留め金具、及びそれらを用いたい型枠を提供することを目的とする。
【課題を解決するための手段】
【００１２】
本考案は、上記課題を解決するために、ビームを連結しパネルを前記ビームに係止した大型の型枠の前記ビームの底部と基礎を固定する側面略三角形状の金具であって、前記基礎上に載置される底板と、前記底板の一端部に垂設され前記ビームに当接する左垂設Ｌ字鋼及び前記底板の他端部と前記左垂設Ｌ字鋼の先端部とを連結する左斜辺Ｌ字鋼よりなる左枠と、前記底板の一端部に垂設され前記ビームに当接する右垂設Ｌ字鋼及び前記底板の他端部と前記右垂設Ｌ字鋼の先端部とを連結する右斜辺Ｌ字鋼よりなる右枠と、前記左右垂設Ｌ字鋼より突出し前記ビームの隙間に陥入する突出部を有し前記左枠及び右枠の間に固定される水平部材と、からなることを特徴とするワイパネ足元固定金具の構成とした。
【００１３】
さらに、前記左枠に前記左垂設Ｌ字鋼と前記左斜辺Ｌ字鋼を結ぶ左筋交いを設け、前記右枠に前記右垂設Ｌ字鋼と前記右斜辺Ｌ字鋼を結ぶ右筋交いを設けたことを特徴とする前記ワイパネ足元固定金具の構成、前記左右垂設Ｌ字鋼と前記左右斜辺Ｌ字鋼の先端部上を連結板で覆ったことを特徴とする前記何れかに記載のワイパネ足元固定金具の構成、前記底板の左右斜辺Ｌ字鋼側部が上方に屈曲した屈折部で前記左右Ｌ字鋼底部を覆うことを特徴とする前記何れかに記載のワイパネ足元固定金具の構成とした。
【００１４】
また、ネジ鉄筋に連結する第１ナット部と、前記第１ナット部を上面に固定した固定部の一端に第１挟持片、他端に第２挟持片を有する挟持部と、前記第１挟持片又は第２挟持片の端部に固定された第２ナット部と、第２ナット部に螺合するボルトとからなり、前記第１、２挟持片の間の溝にＨ鋼を挿入し、前記ボルトで締め付けることを特徴とするＨ鋼留め金具の構成とした。さらに前記第２ナット部を固定した前記第１挟持片又は第２挟持片の何れかの外側を切欠き前記第２ナット部とでスペースを形成したことを特徴とする前記Ｈ鋼留め金具の構成とした。
【００１５】
また、前記Ｈ鋼留め金具と、前記第１ナット部に螺合しビームに挿通するネジ鉄筋と、前記ネジ鉄筋に螺合しビームに係止する留具とからなることを特徴とするＨ鋼連結具の構成とした。
【００１６】
加えて、ビームを通し材で複数連結し、パネルを前記ビームに係止した大型の型枠と、前記ビームの足元を固定する前記何れかに記載のワイパネ足元固定金具と、Ｈ鋼と前記ビームとを連結する前記Ｈ鋼連結具からなることを特徴とする建設用型枠の構成とした。
【考案の効果】
【００１７】
本考案は、上記構成であるので次の効果を発揮する。即ち、本考案であるワイパネ足元固定金具は、ビームの隙間に突起部を陥入させるとともに、基礎及びビームに当接し、ビームの底部を容易かつ安全に固定することができる。
【００１８】
本考案であるＨ鋼連結具は、本考案であるＨ鋼留め金具によってＨ鋼と連結するため、従来の溶接などの手間がなく、簡易かつ安全にＨ鋼とビームとの距離を一定に保つことができる。
【００１９】
本考案である建設用型枠は、極めて簡易に設置、移動（スライド）が可能で、かつ安全に施工作業をすることができる。
【図面の簡単な説明】
【００２０】
【図１】本考案であるワイパネ足元固定金具の正面図である。
【図２】本考案であるワイパネ足元固定金具の左側面図である。
【図３】本考案であるワイパネ足元固定金具の右側面図である。
【図４】本考案であるワイパネ足元固定金具の背面図である。
【図５】本考案であるワイパネ足元固定金具の平面図である。
【図６】本考案であるワイパネ足元固定金具の底面図である。
【図７】本考案であるＨ鋼留め金具の正面図である。
【図８】本考案であるＨ鋼留め金具の左側面図である。
【図９】本考案であるＨ鋼留め金具の右側面図である。
【図１０】本考案であるＨ鋼留め金具の背面図である。
【図１１】本考案であるＨ鋼留め金具の平面図である。
【図１２】本考案であるＨ鋼留め金具の底面図である。
【図１３】本考案である建設用型枠の側面模式図（片壁工法の説明図）である。
【図１４】従来の建設用大型型枠の概斜視図である。
【図１５】従来の建設用大型型枠の拡大斜視図等である。
【考案を実施するための形態】
【００２１】
以下に、添付図面に基づいて、本考案であるワイパネ足元固定金具、Ｈ鋼留め金具、Ｈ鋼連結具、建設用型枠について詳細に説明する。
【実施例１】
【００２２】
先ず、図１〜図６を参照しながら本考案であるワイパネ足元固定金具について説明する。
【００２３】
本考案であるワイパネ足元固定金具１は、ビーム１５を連結しパネル１５ｋをビーム１５に係止した大型の型枠のビーム１５の底部と施工箇所の基礎とを固定する側面略三角形状の金具である。
【００２４】
詳しくは、ワイパネ足元固定金具１は、底板２と左枠３と右枠６と水平部材４とからなり、さらに連結板５、左筋交い３ｃ、右筋交い６ｃを有する。これらはビーム１５と同質の素材で、溶接などにより連結して得ることができる。
【００２５】
より詳しくは、ワイパネ足元固定金具１は、前記基礎上に載置される底板２と、底板２の一端部に垂設されビーム１５に当接する左垂設Ｌ字鋼３ａ及び底板２の他端部と左垂設Ｌ字鋼３ａの先端部とを連結する左斜辺Ｌ字鋼３ｂよりなる左枠３と、底板２の一端部に垂設されビーム１５に当接する右垂設Ｌ字鋼６ａ及び底板２の他端部と右垂設Ｌ字鋼６ａの先端部とを連結する右斜辺Ｌ字鋼６ｂよりなる右枠６と、左右垂設Ｌ字鋼３ａ、６ａより突出しビーム１５の隙間１５ｂに陥入する突出部４ａを有し左右枠３、６の間に固定される水平部材４とからなることを特徴とする。
【００２６】
左右枠３、６には、空間１ｂを残し、左垂設Ｌ字鋼３ａと左斜辺Ｌ字鋼３ｂを結ぶ左筋交い３ｃ、及び右垂設Ｌ字鋼６ａと右斜辺Ｌ字鋼６ｂを結ぶ右筋交い６ｃを設けると、ワイパネ足元固定金具１の強度を極めて高められる。
【００２７】
連結板５は、左右垂設Ｌ字鋼３ａ、６ａと左右斜辺Ｌ字鋼３ｂ、６ｂの先端部上を覆うように板を溶接などで設けるとよい。これにより、角が無くなり、足を引っ掛け作業者が怪我などする危険性が低減する。
【００２８】
底板２の左右斜辺Ｌ字鋼側３ｂ、６ｂに接続する端部が上方に屈曲した屈折部２ａで、左右斜辺Ｌ字鋼３ｂ、６ｂの底部を覆うとよい。これにより、角が無くなり、足を引っ掛け作業者が怪我などする危険性が低減する。
【００２９】
水平部材４は、内部が中空４ｃの角管材を用いると、軽量化できかつ強度を保ったワイパネ足元固定金具１とすることができる。また、水平部材４を左右斜辺Ｌ字鋼３ｂ、６ｂと図１にグレー（溶接痕４ｂ）で示したように溶接すると、左右斜辺Ｌ字鋼３ｂ、６ｂの間に隙間１ａが確保でき、強度を維持しつつ、一層軽量化できる。
【００３０】
このようにしてなるワイパネ足元固定金具１は、図１３に示すようにして後述のように使用される。また、作業性がよく、繰り返し使用ができ、建設コスト低減になり、建設業界、特に型枠を用いた壁などのコンクリート構造物の施工に利用でき、建設業界に多大な効果をもたらす。
【実施例２】
【００３１】
次に、図７〜図１２を参照しながらＨ鋼留め金具について説明する。本考案であるＨ鋼留め金具７は、第１ナット部９と挟持部８と第２ナット部１０とボルト１１からなる。
【００３２】
より詳しくは、本考案であるＨ鋼留め金具７は、ネジ鉄筋に連結する第１ナット部９と、第１ナット部９を上面に固定した固定部８ａの一端に第１挟持片８ｃ、他端に第２挟持片８ｄを有する挟持部８と、第１挟持片８ｃ又は第２挟持片８ｄの端部に固定された第２ナット部１０と、第２ナット部１０に螺合するボルト１１とからなり、第１、２挟持片８ｃ、８ｄの間の溝８ｂにＨ鋼の１部を挿入し、ボルト１１で締め付けることを特徴とする。
【００３３】
第２ナット部１０を固定した挟持片（第１挟持片８ｃ又は第２挟持片８ｄの何れか）の外側を切欠き第２ナット部とでスペース７ａを形成すると、指によるボルト１１締め付けの作業性が向上する。
【００３４】
このようにしてなるＨ鋼留め金具７は、図１３に示すようにして後述のように使用される。また、Ｈ鋼へ型枠の連結が容易で、作業性がよく、繰り返し使用ができ、建設コスト低減になり、建設業界、特に型枠を用いた壁などのコンクリート構造物の施工に利用でき、建設業界に多大な効果をもたらす。
【実施例３】
【００３５】
次に、図１３を参照しながら本考案であるＨ鋼連結具及び建設用型枠について説明するとともに、ワイパネ足元固定金具１、Ｈ鋼留め金具７、Ｈ鋼連結具１６の使用方法につても説明する。
【００３６】
ここでは、片壁工法について説明する。先ず、コンクリート１７を打設する場所の一方に、Ｈ鋼１４を垂直に複数打ち込み、パネルなどで仕切る。なお、コンクリート打設箇所が崖などの場合には前記パネル使用しなくてもよい。次にコンクリート１７を打設するスペースを確保するためのスライド式大型型枠１２を垂設するため、ベースアンカー１５ｃを埋設したコンクリートの基礎１３を施工する。
【００３７】
次に、ビーム１５の孔１５ａに通した連結パイプ１５ｉなどの通し材と留具１５ｊなどでビーム１５同士を連結固定し、パネル１５ｋをフックボルト１５ｅで係止した型枠に、人の作業台であるプラットホーム１２ａを取り付けたスライド式大型型枠１２を設置する。
【００３８】
複数のビーム１５底部の隙間１５ｂに、望ましくは全てのビーム１５の底部の隙間１５ｂにワイパネ足元固定金具１の突出部４ａを嵌入させるとともに、ワイパネ足元固定金具１をレール１５ｇ（或いは角パイプなど）で連結固定する。さらに、ベースアンカー１５ｃとレール１５ｇを袋ナット１５ｄを介しタイボルトナット１５ｈなどの留具で固定する。
【００３９】
続いて、ビーム１５上部では、Ｈ鋼留め金具７をＨ鋼１４に嵌め、ボルト１１を締め、固定する。さらに、ビーム１５の隙間１５ｂを挿通したネジ鉄筋１６ａとＨ鋼留め金具７の第１ナット部９を接続し、他端はタイボルトナット１６ｂなどの留具で固定する。
【００４０】
このようにして、ビーム１５とＨ鋼１４を接続するＨ鋼留め金具７と、ネジ鉄筋１６ａタイボルトナットなどの留具で本願考案のＨ鋼連結具１６を構成する。
【００４１】
次に、埋め込みアンカー１５ｆをビームに係止するとともに、コンクリート１７をパネル１５ｋとＨ鋼１４の間に打設し、養生する。その後、スライド式大型型枠１２をリフトし、埋め込みアンカー１５ｆにビーム１５底部を固定し、ビーム１５上部はＨ鋼連結具１６で所定の幅になるよう固定する。このように順次コンクリート１７を打設して、コンクリート１７の建造物を上方に施工していく。
【産業上の利用可能性】
【００４２】
本考案であるワイパネ足元固定金具、Ｈ鋼連結具、そのＨ鋼留め金具からなる建設用型枠は、設置、スライドが容易で、かつ型枠の安全性を有するため、コンクリート壁などの施工、補修等の建設業界に大きく貢献する。
【符号の説明】
【００４３】
１      ワイパネ足元固定金具
１ａ    隙間
１ｂ    空間
２      底板
２ａ    屈折部
３      左枠
３ａ    左垂設Ｌ字鋼
３ｂ    左斜辺Ｌ字鋼
３ｃ    左筋交い
４      水平部材
４ａ    突出部
４ｂ    溶接痕
４ｃ    中空
５      連結板
６      右枠
６ａ    右垂設Ｌ字鋼
６ｂ    右斜辺Ｌ字鋼
６ｃ    右筋交い
７      Ｈ鋼留め金具
７ａ    スペース
８      挟持部
８ａ    固定部
８ｂ    溝
８ｃ    第１挟持片
８ｄ    第２挟持片
９      第１ナット部
１０    第２ナット部
１１    ボルト
１２    スライド式大型型枠
１２ａ  プラットホーム
１３    基礎
１４    Ｈ鋼
１５    ビーム
１５ａ  孔
１５ｂ  隙間
１５ｃ  ベースアンカー
１５ｄ  袋ナット
１５ｅ  フックボルト
１５ｆ  埋め込みアンカー
１５ｇ  レール
１５ｈ  タイボルトナット
１５ｉ  連結パイプ
１５ｊ  留具
１５ｋ  パネル
１６    Ｈ鋼連結具
１６ａ  ネジ鉄筋
１６ｂ  タイボルトナット
１７    コンクリート
１８    建設用大型型枠
【図１】
0003153803.tif 000003
【図２】
0003153803.tif 000004
【図３】
0003153803.tif 000005
【図４】
0003153803.tif 000006
【図５】
0003153803.tif 000007
【図６】
0003153803.tif 000008
【図７】
0003153803.tif 000009
【図８】
0003153803.tif 000010
【図９】
0003153803.tif 000011
【図１０】
0003153803.tif 000012
【図１１】
0003153803.tif 000013
【図１２】
0003153803.tif 000014
【図１３】
0003153803.tif 000015
【図１４】
0003153803.tif 000016
【図１５】
0003153803.tif 000017